(57)【要約】【課題】大きなハンドル部を有する操作部に適した化粧カバーを取り付ける。【解決手段】水栓装置１００は、スパウト１５０、バルブ１７０、操作部２００、化粧カバー３００を備える。スパウト１５０は、バルブ１７０により混合された湯水を吐水する吐水口１５２を有する。バルブ１７０は、給水管１１０から供給される水と、給湯管１２０から供給される湯水とを混合する。操作部２００は、バルブ１７０を操作するためのハンドル部２１０と、バルブ１７０と連結するための連結部２２０と、ハンドル部２１０と連結部２２０とを接続する接続部２３０とを有する。化粧カバー３００は、連結部２２０とハンドル部２１０との間に設けられ、接続部２３０を貫通可能な開口部３５０を有する。また、ハンドル部２１０および連結部２２０のそれぞれは、開口部３５０よりも大きくなるように構成される。また、化粧カバー３００は、複数部品で構成される。【選択図】図２
2020139322.tif 000002
【特許請求の範囲】
【請求項１】
シングルレバー式の水栓装置であって、
給水管および給湯管から供給される湯水を混合する湯水混合部と、
前記湯水混合部で混合された湯水を吐出する吐水口を有するスパウトと、
前記湯水混合部を操作するためのハンドル部、前記湯水混合部に連結されるための連結部、および前記ハンドル部と前記連結部とを接続する接続部と、を有する操作部と、
前記接続部を貫通させる開口部を有する化粧カバーと、を備え、
前記ハンドル部および前記連結部は、前記化粧カバーの開口部よりも大きくなるように構成され、
前記化粧カバーは、前記開口部を複数部品で形成するように構成されていることを特徴とする水栓装置。
【請求項２】
前記化粧カバーは、前記開口部を形成する部品同士を前記スパウトの前後方向に組み合わせるように分割形成されていることを特徴とする請求項１に記載の水栓装置。
【請求項３】
前記開口部を形成する部品同士の合わせ面は、前記部品同士の組み合わせ方向に対して傾斜した傾斜面となっていることを特徴とする請求項１または請求項２に記載の水栓装置。
【請求項４】
前記開口部を形成する部品同士の合わせ面は、前記スパウトの前後方向において前記化粧カバーの半分よりも後方側に位置していることを特徴とする請求項１乃至３の何れか１項に記載の水栓装置。
【請求項５】
前記開口部を形成する複数部品のうち少なくとも１つの部品は、前記複数部品のうちの他の部品を支える支持部を有することを特徴とする請求項１乃至４の何れか１項に記載の水栓装置。
【請求項６】
前記開口部を形成する複数部品のうち少なくとも１つの部品は、前記スパウト側に対する取付部分との間に弾性部材を介在させ、当該部品を、前記弾性部材の弾性力により、前記複数部品のうちの他の部品に近づく向きに付勢するように構成したことを特徴とする請求項１乃至５の何れか１項に記載の水栓装置。
【発明の詳細な説明】
【技術分野】
【０００１】
本発明は、シングルレバー式の水栓装置に関する。
【背景技術】
【０００２】
従来、１つのハンドル部（把持部）を操作することにより吐出する湯と水の量を調整して温度調整が可能なシングルレバー式の水栓装置が存在する。このような水栓装置は、ハンドル部の操作によって動作する湯水調整用のバルブを有する。
【０００３】
シングルレバー式の水栓装置に関する技術として、例えば、デザイン性を高めるためのカバーを設置する衛生器具が提案されている（例えば、特許文献１参照）。特許文献１には、ボウル面を有する洗面台の設置面に、吐水口を有するスパウトを取り付ける構成において、スパウトの基端部と設置面との間に、カバーとしてリング状の部材を介装した構成が開示されている。
【先行技術文献】
【特許文献】
【０００４】
【特許文献１】米国特許出願公開第２０１８／０１９５２５６号明細書
【発明の概要】
【発明が解決しようとする課題】
【０００５】
シングルレバー式の水栓装置においては、特許文献１に記載されているように、スパウトの上側に設けられたハンドル部を含む操作部が、ハンドル部の下側に設けられた細い軸状の接続部を有する構成のものがある。特に、最近のデザインのトレンドとして、ハンドル部を、例えばスパウトと同等の幅を有するように大きく構成したものがある。このような構成において、操作部は、スパウトにおいて上側に開口した開口部に対して設けられ、開口部から突出した軸状の接続部を介して、スパウトの上側にハンドル部を位置させている。
【０００６】
このような構成においては、操作部の可動範囲を確保するため、操作部の接続部とスパウトの開口部との間に隙間が生じる。例えば、スパウトの開口部からの軸状の接続部の突出長さが短く、ハンドル部がスパウトに近接した構成においては、操作部の基端部の可動部が、ハンドル部によって隠されることになる。しかし、軸状の接続部の突出長さが比較的長く、ハンドル部とスパウトとの間の間隔が大きい場合、デザイン性を向上させる観点から、操作部の接続部とスパウトの開口部との間の隙間を覆って可動部を隠すために、可動部の上側に化粧カバーを設ける構造が考えられる。
【０００７】
例えば、化粧カバーをスパウトの開口部に合わせてリング状に構成し、スパウト側に取り付けられた操作部に対して、化粧カバーをハンドル部および接続部に通し、その化粧カバーにより可動部を隠すことが考えられる。しかし、上述のとおり軸状の接続部に対してハンドル部が比較的大きなものである場合には、リング状の化粧カバーにハンドル部を通すことができなくなり、組立てが困難となるおそれがある。
【０００８】
本発明は、上述した問題点を鑑みてなされたものであり、シングルレバー式の構成において、デザイン上の自由度を向上させることができ、良好な組立性を得ることができる水栓装置を提供することを目的とする。
【課題を解決するための手段】
【０００９】
本発明に係る水栓装置は、シングルレバー式の水栓装置であって、給水管および給湯管から供給される湯水を混合する湯水混合部と、前記湯水混合部で混合された湯水を吐出する吐水口を有するスパウトと、前記湯水混合部を操作するためのハンドル部、前記湯水混合部に連結されるための連結部、および前記ハンドル部と前記連結部とを接続する接続部と、を有する操作部と、前記接続部を貫通させる開口部を有する化粧カバーと、を備え、前記ハンドル部および前記連結部は、前記化粧カバーの開口部よりも大きくなるように構成され、前記化粧カバーは、前記開口部を複数部品で形成するように構成されているものである。
【００１０】
このような構成の水栓装置によれば、開口部を複数部品で形成することでハンドル部および連結部が化粧カバーの開口部よりも大きい場合であっても操作部と湯水混合部との連結構造を隠すことができ、デザイン性を向上させることが出来る。また、開口部を複数部品で形成することで、操作部のデザイン上の自由度を向上させることができ、良好な組立性を得ることができる。
【００１１】
本発明に係る水栓装置の他の態様は、前記水栓装置において、前記化粧カバーは、前記開口部を形成する部品同士を前記スパウトの前後方向に組み合わせるように分割形成されているものである。
【００１２】
このような構成の水栓装置によれば、使用者に認知されやすい部品同士の合わせ面をスパウトの前面に位置しないため、化粧カバーにおいて開口部を形成する部品同士の合わせ面を使用者に認識させ難くすることができる。
【００１３】
本発明に係る水栓装置の他の態様は、前記水栓装置において、前記開口部を形成する部品同士の合わせ面は、前記部品同士の組み合わせ方向に対して傾斜した傾斜面となっているものである。
【００１４】
このような構成の水栓装置によれば、分割形成された化粧カバー同士を合わせた際に部品同士のサイズがばらついた場合であっても、化粧カバーの組み合わせ面が互いに斜面になっていることにより、使用者からは斜面が認知されるだけであり、隙間が認知されづらい。これにより、分割形成された化粧カバーの合わせ面を使用者に認知させづらくすることができる。
【００１５】
本発明に係る水栓装置の他の態様は、前記水栓装置において、前記開口部を形成する部品同士の合わせ面は、前記スパウトの前後方向において前記化粧カバーの半分よりも後方側に位置しているものである。
【００１６】
このような構成の水栓装置によれば、使用者に認知されづらいと考えられる後方側に部品同士の合わせ面が位置するため、分割形成された化粧カバーの合わせ面を使用者に認識させ難くすることができる。
【００１７】
本発明に係る水栓装置の他の態様は、前記水栓装置において、前記開口部を形成する複数部品のうち少なくとも１つの部品は、前記複数部品のうちの他の部品を支える支持部を有するものである。
【００１８】
このような構成の水栓装置によれば、複数部品同士を合わせた際の高さ位置調整が容易となり、デザイン性を高めることができる。
【００１９】
本発明に係る水栓装置の他の態様は、前記水栓装置において、前記開口部を形成する複数部品のうち少なくとも１つの部品は、前記スパウト側に対する取付部分との間に弾性部材を介在させ、当該部品を、前記弾性部材の弾性力により、前記複数部品のうちの他の部品に近づく向きに付勢するように構成したものである。
【００２０】
このような水栓装置によれば、弾性部材によって一方の部品を他方の部品に近づくように付勢することで、複数部品で構成した合わせ面における隙間の発生を抑制することができる。
【発明の効果】
【００２１】
本発明によれば、シングルレバー式の構成において、デザイン上の自由度を向上させることができ、良好な組立性を得ることができる。
【図面の簡単な説明】
【００２２】
【図１】本発明の一実施形態に係る水栓装置の外観構成例を示す斜視図である。
【図２】本発明の一実施形態に係る水栓装置の分解斜視図である。
【図３】本発明の一実施形態に係る水栓装置における操作部および化粧カバーの部分を示す斜視図である。
【図４】本発明の一実施形態に係る水栓装置から操作部を取り外した状態を示す斜視図である。
【図５】本発明の一実施形態に係る水栓装置から操作部および第２化粧カバー体を取り外した状態を示す分解斜視図である。
【図６】本発明の一実施形態に係る水栓装置から操作部および化粧カバー（第１化粧カバー体、第２化粧カバー体）を取り外した状態を示す分解斜視図である。
【図７】本発明の一実施形態に係る水栓装置の上部（操作部、化粧カバー、バルブ）の構成を示す縦断面図である。
【図８】本発明の一実施形態に係る化粧カバーの構成を示す斜視図である。
【図９】本発明の一実施形態に係る化粧カバーの分解状態を示す斜視図である
【図１０】本発明の一実施形態に係る化粧カバーを示す上面図である。
【図１１】本発明の一実施形態に係る化粧カバーの分解状態を示す上面図である。
【図１２】本発明の一実施形態に係る化粧カバーを示す下面図である。
【図１３】本発明の一実施形態に係る化粧カバーの分解状態を示す下面図である。
【図１４】本発明の一実施形態に係る第１化粧カバー体を示す背面図である。
【図１５】本発明の一実施形態に係る第２化粧カバー体を示す正面図である。
【図１６】図１０におけるＡ−Ａ断面図である。
【発明を実施するための形態】
【００２３】
本発明は、１つのハンドル部（把持部）を有する操作部の操作により吐水する湯水の量や温度を調整することが可能なシングルレバー式の水栓装置において、湯水調整用のバルブ等の内部構造を隠すための化粧カバーの構造を工夫することにより、装置のデザイン性を高めつつ、化粧カバーの取り付けを容易に行うことが可能な装置構成を実現しようとするものである。以下、本発明の実施の形態について図面を参照して説明する。
【００２４】
［水栓装置の構成例］
図１は、本発明の一実施形態に係る水栓装置１００の外観構成例を示す斜視図である。また、図２は、本発明の一実施形態に係る水栓装置１００を分解した場合の構成例を示す分解斜視図である。また、図３は、本発明の一実施形態に係る水栓装置１００における操作部２００および化粧カバー３００の部分を拡大した場合の構成例を示す斜視図である。
【００２５】
図４は、本発明の一実施形態に係る水栓装置１００から操作部２００を取り外した場合の水栓装置１００の構成例を示す分解斜視図である。また、図５は、本発明の一実施形態に係る水栓装置１００から操作部２００および第２化粧カバー体３３０を取り外した場合の水栓装置１００の構成例を示す分解斜視図である。また、図６は、本発明の一実施形態に係る水栓装置１００から操作部２００および化粧カバー３００を取り外した場合の水栓装置１００の構成例を示す分解斜視図である。
【００２６】
図７は、本発明の一実施形態に係る水栓装置１００の操作部２００、化粧カバー３００、及びバルブ１７０の構成例を示す断面図である。
【００２７】
本実施形態に係る水栓装置１００は、いわゆるシングルレバー式の水栓装置である。水栓装置１００は、給水管１１０と、給湯管１２０と、給水管１１０および給湯管１２０から供給される湯水を混合する湯水混合部としてのバルブ（湯水混合バルブ）１７０と、バルブ１７０で混合された湯水を吐出する吐水口１５２を有するスパウト１５０と、使用者により操作される操作部２００と、化粧カバー３００とを備える。
【００２８】
また、水栓装置１００は、固定部１３０と、水栓装置１００の装置本体を構成する本体ケース部１４０とを備える。また、水栓装置１００は、吐水口１５２に取り付けられる泡沫キャップ１５３と、バルブ１７０に対して設けられた弁座１６０と、バルブ１７０を含んで構成されるカートリッジをスパウト１５０の開口部に対して固定するためのカートリッジ押え１８０とを有する。
【００２９】
給水管１１０は、図２に示すように、断面視略円形で水栓装置１００の下部に位置している。給湯管１２０は、断面視略円形で水栓装置１００の下部に給水管１１０と並列に配設している。
固定部１３０は、給水管１１０と給湯管１２０とを位置固定するための部材である。
【００３０】
本体ケース部１４０は、断面視略楕円形状で筒状の部材として構成されており、その長手方向を鉛直方向（上下方向）としている。本体ケース部１４０は、筒内部に給水管１１０と、給湯管１２０と、弁座１６０と、バルブ１７０とを収容している。本体ケース部１４０は、上下方向略中央部近傍に弁座１６０を配設している。
【００３１】
弁座１６０は、平面視略円形状で上下方向に２つの孔１６１、１６２を穿設している。この孔１６１、１６２には前述の給水管１１０と給湯管１２０との先端部を挿嵌している。また、弁座１６０の外周面には、弾性体としてＯリング１６３を装着している。この弁座１６０は、上部にバルブ１７０、及びカートリッジ押え１８０を配設している。
【００３２】
バルブ１７０は、略円柱形状の台座１７１と略直方体の調整部１７２とで構成している。台座１７１は、平面視略中央部に球形状の凹部を穿設している。調整部１７２は、四角柱状の部分である連結操作部を台座１７１から上方に向けて突出させるとともに、下部に水量調整用の略球形状のボール１７４を配設している。調整部１７２は、下部に連結したボール１７４を前記凹部に係合することで前後左右方向に回動自在としている。バルブ１７０は、スパウト１５０および本体ケース部１４０の内部に対して装着されるカートリッジを構成している。
バルブ１７０は、このように構成することで調整部１７２に後述の連結部２２０をネジで連結固定している。
【００３３】
カートリッジ押え１８０は、バルブ１７０を含んで構成されたカートリッジがスパウト１５０等に対して上方に移動することを規制するための固定部材である。カートリッジ押え１８０は、平面視略円形状で略中央部に略円形の孔を穿設している。カートリッジ押え１８０は、円形状を略３等分した位置から外方に向けて固定用のネジ部１８１、１８１、１８１を延設している。カートリッジ押え１８０は、ネジ部１８１、１８１、１８１に螺刻した孔に固定用のネジ１８２、１８２、１８２を螺設して弁座１６０に螺合している。
【００３４】
また、本体ケース部１４０の上部には、スパウト１５０と操作部２００を配設している。
【００３５】
スパウト１５０は、略水平状に延設されたスパウト本体部１５４と、スパウト本体部１５４の基端側から下側に向けて屈曲状に形成された基端部１５１とを有し、これらによって全体として側面視略逆Ｌ字形状に構成されている。スパウト１５０は、その基端部１５１を本体ケース部１４０に連結させている。基端部１５１は、本体ケース部１４０を上側に延設させた態様をなすように、本体ケース部１４０に対して一体的かつ連続的な形態を有する。
【００３６】
スパウト本体部１５４は、本体ケース部１４０の上側において、基端部１５１から水平状に直線的に延設されており、基端部１５１に対して薄い偏平な板状の外形をなす部分として構成されている。スパウト本体部１５４は、略水平面であるフラットな上面を有するとともに、下側（底面側）を下方に向けて凸の湾曲面とし、延設方向について先鋭状の形状を有する。また、スパウト１５０は先端部近傍の底面側に吐水口１５２を穿設している。吐水口１５２は底面視略円形状で内周面を螺刻している。以下の説明では、基端部１５１からのスパウト本体部１５４の延設方向に沿う方向（図７における左右方向）を前後方向とし、スパウト本体部１５４の先端側（図７における左側）を前側、その反対側（図７における右側）を後側とする。
【００３７】
泡沫キャップ１５３は、平面視略円形で外周面を螺刻している。泡沫キャップ１５３の外径は吐水口１５２の内径と略同等であり両部品は螺合している。
また、スパウト１５０の基端部１５１の上部、すなわち、逆Ｌ字形状の隅部には化粧カバー設置部１９０を設けている。
【００３８】
化粧カバー設置部１９０は、図６に示すように、平面視で略円形をなすとともに後面視で略逆台形状をなすように切欠いた態様の開口部である。化粧カバー設置部１９０は、スパウト１５０のスパウト本体部１５４の上面に沿う上側、およびスパウト１５０の後面側を開放させた開口部である。化粧カバー設置部１９０は、その開口の内周壁１９１に支持部１９２を内方に突設している。支持部１９２は、内周壁１９１に沿った形状で化粧カバー設置部１９０の開口縁部１９３よりも一段低い位置に上端部を設けている。
【００３９】
また、化粧カバー設置部１９０の下部、すなわち、スパウト１５０の基端部１５１の上端部には、平面視略六角形状の挿入穴１９４、１９５を内周壁１９１近傍に穿設している。
このように構成した化粧カバー設置部１９０には、操作部２００の下端部を配設している。
【００４０】
操作部２００は、図７に示すように、バルブ１７０を操作するためのハンドル部２１０と、操作部２００の下端部をなすとともに操作部２００をバルブ１７０に連結させるための連結部２２０と、ハンドル部２１０と連結部２２０とを接続する接続部２３０とで構成している。操作部２００は、ハンドル部２１０、連結部２２０、および接続部２３０を有する一体の部材として構成されている。
【００４１】
ハンドル部２１０は、平面視略楕円形状をなす板状の部分であり、中央部側から外周側にかけて板厚を徐々に薄くした形状を有する。ハンドル部２１０は、前後方向略中央部から後方寄りの位置に接続部２３０を垂設している。接続部２３０は、略円筒形状の外形を有する軸状の部分であり、下端部を略半球形状の連結部２２０と連結させている。
【００４２】
連結部２２０は、操作部２００をバルブ１７０の調整部１７２に連結固定するための部分である。連結部２２０は、半球形状のうち上部を球部２２１とし、下部を平面部２２２としている。球部２２１は、平面視略円形状で略中央部にて接続部２３０と連結している。
平面部２２２は、底面視略中央に水平断面視略方形状の連結固定部２２３を穿孔している。連結固定部２２３内には、バルブ１７０の調整部１７２の連結操作部が挿入される。連結固定部２２３は、後方側面の略中央に操作部２００を連結固定するための固定孔２２４を螺刻しており、該固定孔２２４に固定ネジ２２５を螺合している。
この固定ネジ２２５を締め付けることで、調整部１７２の連結操作部が連結部２２０に固定され、操作部２００とバルブ１７０の調整部１７２を一体として移動できる。なお、この操作部２００及び調整部１７２の回転作動は、バルブ１７０の下部に設けたボール１７４の中心点を中心に前後左右に回動自在に構成している。
【００４３】
このように操作部２００を構成することで、ハンドル部２１０はバルブ１７０を操作するための把持部として機能し、ハンドル部２１０を前後左右に回動操作した際に吐水口１５２から吐出される湯水の量を任意に調整できる。この際、操作部２００は、バルブ１７０の調整部１７２が台座１７１の上部に設けた略球状の凹部開口上端縁に接触することで揺動範囲が規制されている。すなわち、操作部２００の可動範囲は調整部１７２と台座１７１によって規制されている。
また、操作部２００は、一定の強度を備えた素材で構成されていればよく、例えば、ＳＵＳで構成されている。
なお、操作部２００は、水栓装置１００を平面から観察した場合にバルブ１７０と連結部２２０との接合部が見えない程度の大きさで構成している。
【００４４】
また、前述の本体ケース部１４０の上部、及びスパウト１５０の後部には、化粧カバー３００を設けている。なお、化粧カバー３００については、図８乃至図１５を参照して詳細に説明する。
【００４５】
［化粧カバーの構成例］
図８、図９は、本発明の一実施形態に係る化粧カバー３００の外観構成例を示す斜視図である。また、図１０、図１１は、本発明の一実施形態に係る化粧カバー３００の外観構成例を示す上面図である。また、図１２、図１３は、本発明の一実施形態に係る化粧カバー３００の外観構成例を示す下面図である。なお、図８、図１０、図１２には、第１化粧カバー体３１０および第２化粧カバー体３３０を組み合わせた状態の構成例を示す。また、図９、図１１、図１３には、第１化粧カバー体３１０および第２化粧カバー体３３０を分離した状態の構成例を示す。
【００４６】
また、図１４は、本発明の一実施形態に係る第１化粧カバー体３１０体の外観構成例を示す背面図である。また、図１５は、本発明の一実施形態に係る第２化粧カバー体３３０の外観構成例を示す正面図である。すなわち、図１４、図１５には、第１化粧カバー体３１０および第２化粧カバー体３３０を組み合わせる場合に、他の化粧カバーの面と対する面（合わせ面３１１、３１２、３３１、３３２）側を示す。また、図１６は、図１０におけるＡ−Ａ断面図を示す。
【００４７】
化粧カバー３００は、操作部２００の接続部２３０を貫通させる開口部３５０を有し、全体として略環状の部材として構成されている。スパウト１５０の化粧カバー設置部１９０においては、操作部２００の可動範囲を確保するため、操作部２００の接続部２３０と化粧カバー設置部１９０としての開口部との間に隙間が生じる。この隙間からは、バルブ１７０やカートリッジ押え１８０等の内部構造が露出することになる。そこで、化粧カバー３００により、接続部２３０とスパウト１５０の開口部との間の隙間が覆われている。
【００４８】
また、化粧カバー３００に関し、操作部２００のハンドル部２１０および連結部２２０は、化粧カバー３００の開口部３５０よりも大きくなるように構成されている。すなわち、操作部２００のハンドル部２１０および連結部２２０は、少なくとも化粧カバー３００の開口部３５０内を通ることができない程度の大きさを有する。
【００４９】
化粧カバー３００は、スパウト１５０の化粧カバー設置部１９０の開口形状に対応した形状を有し、開口縁部１９３に沿う外形を有する。具体的には、化粧カバー３００は、スパウト本体部１５４の上面に沿うように水平状をなす水平部と、水平部に対して滑らかに連続するように形成されスパウト１５０の後側の角部の丸め形状をなす湾曲面部とを有する。化粧カバー３００の水平部は、開口部３５０を形成する部分であり、化粧カバー設置部１９０の上側を覆う部分となる。また、化粧カバー３００の湾曲面部は、水平部の後側に形成された部分であって、スパウト１５０の基端部１５１の外周面と連続する意匠面として凸曲面をなす部分であり、化粧カバー設置部１９０の後側を覆う部分となる。
【００５０】
化粧カバー３００は、図１０に示すように、スパウト１５０の後部に設けた化粧カバー設置部１９０の開口縁部１９３に沿うように配置されている。化粧カバー３００は、その開口部３５０を複数部品で形成するように構成されている。本実施形態では、化粧カバー３００は、第１化粧カバー体３１０と、第２化粧カバー体３３０とで構成されており、これらのカバー体によって開口部３５０を形成している。
【００５１】
化粧カバー３００は、開口部３５０を形成する部品同士をスパウト１５０の前後方向に組み合わせるように分割形成されている。本実施形態では、化粧カバー３００は、化粧カバー３００の前部をなす第１化粧カバー体３１０と、化粧カバー３００の後部をなす第２化粧カバー体３３０との組み合わせによって構成されている。つまり、化粧カバー３００は、第１化粧カバー体３１０および第２化粧カバー体３３０により、前後に２分割された分割構造を有する。第１化粧カバー体３１０および第２化粧カバー体３３０が組み合わさった状態において、これらのカバー体は、開口部３５０を形成する部分について開口部３５０の開口形状に沿う連続的な意匠面を形成する。
【００５２】
第１化粧カバー体３１０は、平面視で略半円弧形状の外形を有し、その円弧形状の両端部に、第２化粧カバー体３３０に対する合わせ面３１１、３１２を有する。つまり、合わせ面３１１、３１２は、化粧カバー３００の２分割構造における分割面をなす。また、第１化粧カバー体３１０は、合わせ面３１１，３１２の下部に設けた支持部３１３、３１４と、円弧形状の前端部となる左右中央部に垂設したＯリング取付部３１７と、円弧形状の左右両側における中途部に垂設した突起部３１５，３１６とを有する。
【００５３】
合わせ面３１１、３１２は、重力方向に拡開するテーパー面（傾斜面）となっている。支持部３１３、３１４は、図９に示すように、合わせ面３１１、３１２の下部に連結し、合わせ面３１１、３１２の下端部から水平方向に延設している。支持部３１３、３１４は、第１化粧カバー体３１０の平面視略半円状の左右の後端部にそれぞれ設けられており、第１化粧カバー体３１０の上面に対して、合わせ面３１１、３１２とともに下側に段差面を形成し、第２化粧カバー体３３０の平面視略半円状の左右の前端部を下側から支持する。つまり、支持部３１３、３１４は、その上面を、第２化粧カバー体３３０の前端部に対して下側から接触させた状態で、第２化粧カバー体３３０を支持する。これにより、第２化粧カバー体３３０は、その前端部を支持部３１３、３１４上に載せた状態で支持される。
【００５４】
突起部３１５、３１６は、図１２に示すように、底面視略円形の円柱状に構成している。また、Ｏリング取付部３１７は、底面視略円形の円柱状に構成しており、下部先端に弾性部材としてのＯリング３４７を設置している。なお、Ｏリング３４７は外部応力によって変形した際に、元の安定した形態に戻ろうとする弾性変形できる素材であればどのような部材で構成されていてもよい。
【００５５】
このように構成した第１化粧カバー体３１０は、Ｏリング取付部３１７をスパウト１５０の基端部１５１の上面部に形成された取付部分としての挿入穴１９６に挿嵌している。この際、下部先端に設置したＯリング３４９の外径が挿入穴１９６の内径よりも大きく構成されているため、挿入穴１９６にＯリング３４９を挿嵌することでＯリング３４９の弾性力により第１化粧カバー体３１０の固定位置が調整される。また、突起部３１５、３１６は前述の支持部１９２の上部に接触している。このように構成することで、第１化粧カバー体３１０は、Ｏリング取付部３１７と突起部３１５、３１６の３点で支持固定している。
【００５６】
第２化粧カバー体３３０は、図９〜１６に示すように、平面視で略円弧形状、ないし前側に半円弧状の凹部を有する略矩形状の外形を有し、側面視で略円弧状の外形を有するように構成している。また、第２化粧カバー体３３０は、平面視における略円弧形状の両端に、第１化粧カバー体３１０に対する合わせ面３３１、３３２を有する。つまり、合わせ面３３１、３３２は、化粧カバー３００の２分割構造における分割面をなす。また、第２化粧カバー体３３０は、側面視略円弧形状の中途部から垂設した支持片３３３、３３４と、側面視略円弧形状の下端部に垂設した雌ネジ部３３５、３３６とを有する。
【００５７】
合わせ面３３１、３３２は下方に向けて縮閉方向のテーパー面（傾斜面）となっている。なお、この合わせ面３３１、３３２の傾斜は、前述の第１化粧カバー体３１０の合わせ面３１１、３１２の傾斜と略同等の傾斜角度としており、合わせ面３１１，３１２と合わせ面３３１、３３２とが合うように、つまり互いに全面的に接触するように構成している。
【００５８】
このように、化粧カバー３００において、開口部３５０を形成する第１化粧カバー体３１０および第２化粧カバー体３３０同士の合わせ面は、これらの部品同士の組み合わせ方向、つまり前後方向に対して傾斜した傾斜面となっている。本実施形態では、第１化粧カバー体３１０の合わせ面３１１、３１２は、後側を向く面であり、上側から下側にかけて前側から後側に向かうように傾斜した傾斜平面となっている。また、第２化粧カバー体３３０の合わせ面３３１、３３２は、前側を向く面であり、上側から下側にかけて後側から前側に向かうように傾斜した傾斜平面となっている。
【００５９】
すなわち、第１化粧カバー体３１０と第２化粧カバー体３３０の合わせ面は、図１６に示すように、互いの組み合わせ方向である前後方向に対して垂直な面、つまり上下方向（鉛直方向）に沿う面に対して、所定角度傾いた傾斜面となっている。第１化粧カバー体３１０と第２化粧カバー体３３０の合わせ面の鉛直面に対する傾斜角度α１は、特に限定されるものではないが、例えば、５〜１５°程度の角度である。このように化粧カバー体同士の合わせ面が傾斜していることにより、第１化粧カバー体３１０の側面断面視において、合わせ面３１１、３１２と、支持部３１３、３１４の上面とがなす角度α２は鈍角となっている。
【００６０】
支持片３３３、３３４は略板形状で、側面視略中央部に孔３３３ａ、３３４ａをそれぞれ穿設している。支持片３３３、３３４の前端部は、化粧カバー設置部１９０の内周壁１９１に沿って設けた支持部１９２に接触している。また、雌ネジ部３３５、３３６はネジ部材３４１、３４２を螺合している。
【００６１】
ネジ部材３４１、３４２は、図８に示すように、ネジ部３４３、３４４と支持固定部３４５、３４６とで構成している。ネジ部３４３、３４４は、ネジ部材３４１、３４２の先端側に位置し、周面部を螺刻している。支持固定部３４５、３４６は、雄ネジのネジ頭部とネジ部３４３、３４４の間に構成した凹部であり、周面に弾性部材としてのＯリング３４７、３４８を配設している。
【００６２】
このように構成することで第２化粧カバー体３３０は、スパウト１５０の基端部１５１の上部に形成された取付部分としての挿入穴１９４、１９５にネジ部材３４１、３４２の下端部に設けたＯリング３４７、３４８を嵌入することで固定している。
また、第２化粧カバー体３３０の支持片３３３、３３４の前端部が化粧カバー設置部１９０の内周壁１９１に設けた支持部１９２に接触して第２化粧カバー体３３０を支持している。
すなわち、第２化粧カバー体３３０は、第１化粧カバー体３１０から後方に突設した支持部３１３、３１４と、第２化粧カバー体３３０の中途部に形成した支持片３３３、３３４と、第２化粧カバー体３３０の雌ネジ部３３５，３３６に螺合したネジ部材３４１、３４２とで支持固定している。
【００６３】
このように第１化粧カバー体３１０と第２化粧カバー体３３０とを構成しており、化粧カバー設置部１９０の開口縁部１９３に沿って第１化粧カバー体３１０の合わせ面３１１、３１２と、第２化粧カバー体３３０の合わせ面３３１、３３２とを接触固定することで化粧カバー３００を構成している。化粧カバー３００は、第１化粧カバー体３１０と第２化粧カバー体３３０とを合わせることで平面視略中央部に略円形の開口部３５０を設けている。
【００６４】
このように構成された化粧カバー３００は、本体ケース部１４０とスパウト１５０と操作部２００とで閉塞空間を形成している。この閉塞空間は、バルブ１７０とカートリッジ押え１８０と操作部２００の連結部２２０とを内包している。
【００６５】
また、本実施形態では、図３、図７に示すように、化粧カバー３００が第１化粧カバー体３１０と第２化粧カバー体３３０とに分割できる構成としており、操作部２００のハンドル部２１０や連結部２２０の形状に関係なく装着可能な構成としている。
【００６６】
また、化粧カバー３００は、化粧カバー設置部１９０の開口縁部１９３に沿うように構成している。化粧カバー３００の内周面３１９、３３８は、第１化粧カバー体３１０と第２化粧カバー体３３０とを接合した際に平面視略円形状の開口部３５０を形成するように半円弧状に構成している。
【００６７】
開口部３５０の内径は、操作部２００の接続部２３０の外径よりも少し大きいサイズに構成している。
【００６８】
また、化粧カバー３００において、第１化粧カバー体３１０と第２化粧カバー体３３０の合わせ面は、スパウト１５０の前後方向において化粧カバー３００の半分よりも後方側に位置している。具体的には、図８、図１０に示すように、第１化粧カバー体３１０と第２化粧カバー体３３０との合わせ面３１１、３１２、３３１、３３２により形成される化粧カバー３００の分割ライン３０１は、連結部２２０の前後方向略中央よりも後方側に設けられる。このように構成することで化粧カバー３００の分割ライン３０１は操作部２００のハンドル部２１０と接続部２３０によって使用者に認識しづらくできる。
【００６９】
また、図１４に示すように、第１化粧カバー体３１０の合わせ面３１１、３１２は、重力方向に拡開テーパー形状となるように構成している。また、図１５に示すように、第２化粧カバー体３３０の合わせ面３３１、３３２は、下方に対して縮閉テーパー形状となるように構成している。
このように、第１化粧カバー体３１０の合わせ面３１１、３１２と、第２化粧カバー体３３０の合わせ面３３１、３３２とを重力方向に相対するテーパー形状とすることで第１化粧カバー体３１０と第２化粧カバー体３３０とを合わせた際に容易に２つの化粧カバーを接合できる。
また、第１化粧カバー体３１０と第２化粧カバー体３３０とをテーパー嵌合構造とすることで分割ライン３０１に生起する段差を目立ちにくくし、デザイン性を向上できる。また、第１化粧カバー体３１０の合わせ面３１１、３１２と、第２化粧カバー体３３０の合わせ面３３１、３３２とを重力方向にテーパ形状とすることにより、２つのカバーの嵌合状態がずれている場合でも分割ライン３０１の隙間が広く見えることを防止できる。
【００７０】
また、本実施形態の化粧カバー３００において、開口部３５０を形成する一方の部品である第１化粧カバー体３１０は、開口部３５０を形成する他方の部品である第２化粧カバー体３３０を支える支持部３１３、３１４を有する。
【００７１】
このような構成によれば、第１化粧カバー体３１０および第２化粧カバー体３３０同士を合わせた際の高さ位置調整が容易となり、デザイン性を高めることができる。また、第１化粧カバー体３１０および第２化粧カバー体３３０が合わせ面側を落ち込ませるように傾くことや、各カバー体のガタツキを防止することができる。
【００７２】
また、本実施形態の化粧カバー３００において、第１化粧カバー体３１０および第２化粧カバー体３３０は、スパウト１５０の基端部１５１に対する取付部との間に弾性部材としてのＯリングを介在させている。そして、第１化粧カバー体３１０および第２化粧カバー体３３０同士が、それぞれＯリングの弾性力により、互いに近づく向きに付勢するように設けられている。
【００７３】
このような構成によれば、第１化粧カバー体３１０および第２化粧カバー体３３０の合わせ面における隙間の発生を抑制することができる。また、スパウト１５０側に対する第１化粧カバー体３１０および第２化粧カバー体３３０の取付状態について、Ｏリングによって各カバー体のガタツキを防止することができる。
【００７４】
［化粧カバーの取り付け例］
次に、化粧カバー３００を装着する手順について説明する。
最初に、図６に示すように、本体ケース部１４０の内部に弁座１６０、バルブ１７０、カートリッジ押え１８０を取り付ける。
【００７５】
次に、図７に示すように、操作部２００の平面部２２２の下部に穿設した連結固定部２２３をバルブ１７０の調整部１７２に嵌め込み、連結固定部２２３の後面側（図７では、右方向）から固定ネジ２２５を用いて連結部２２０とバルブ１７０とを一体に固定する。
【００７６】
次に、化粧カバー設置部１９０の前側に第１化粧カバー体３１０を設置する。この際、Ｏリング取付部３１７の下端部に設けたＯリング３４７を挿入穴１９６に嵌入するとともに、化粧カバー設置部１９０の支持部１９２に第１化粧カバー体３１０の後側が隠れるように第１化粧カバー体３１０を設置する。
【００７７】
次に、化粧カバー設置部１９０の後側に第２化粧カバー体３３０を設置する。この際、第２化粧カバー体３３０はネジ部材３４１、３４２に設けたＯリング３４７、３４８を挿入穴１９４、１９５に嵌入するとともに、第１化粧カバー体３１０の支持部３１３、３１４に第２化粧カバー体３３０の前側を支持させ、さらに、第１化粧カバー体３１０の合わせ面３１１、３１２に第２化粧カバー体３３０の合わせ面３３１、３３２が接触するように設置している。
【００７８】
なお、化粧カバー設置部１９０の後側に設置される第２化粧カバー体３３０は、操作部２００の連結部２２０を固定する固定ネジ２２５を隠す機能も備える。また、第２化粧カバー体３３０を化粧カバー設置部１９０から取り外すと、操作部２００の連結部２２０を固定する固定ネジ２２５にすぐにコンタクトできる容易な取り付け取外し構造としている。
【００７９】
このように、本実施形態によれば、シングルレバーの化粧カバー３００を分割構造としている。これにより、操作部２００のハンドル部２１０と連結部２２０との間に化粧カバー３００を配置することができ、デザイン性を高めることができる。したがって、水栓装置１００において、操作部２００のハンドル部２１０を従来よりも拡大した構成を実現でき、操作性とデザイン性を向上できる。
【００８０】
例えば、デザイン性を向上させるため、ハンドル部２１０および連結部２２０を大きくすると一体で形成された化粧カバーを装着させることができない。そこで、シングルレバーの化粧カバー３００を分割できる構成とすることで、ハンドル部２１０と連結部２２０との間に設ける化粧カバー３００のデザイン自由度が高まり、デザイン性を向上できる。
【００８１】
なお、本実施形態では、化粧カバー３００を第１化粧カバー体３１０および第２化粧カバー体３３０の２つの化粧カバーで構成する例を示しているが、本発明はこれに限定されない。例えば、化粧カバー３００を３以上の部品で構成する場合についても本実施形態を適用することができる。
【００８２】
また、本実施形態では、第１化粧カバー体３１０側に、第２化粧カバー体３３０を支持する支持部３１３、３１４が設けられているが、第２化粧カバー体３３０側に、第１化粧カバー体３１０を支持する支持部が設けられてもよい。すなわち、化粧カバー３００において、開口部３５０を形成する複数部品のうち少なくとも１つの部品に、他の部品を支える支持部が設けられていればよい。ただし、水栓装置１００のメンテナンス等に際し、カバー体を着脱する観点からは、支持部は、本実施形態のように、カバー体の傾斜の向きに応じて、水平状に突設される支持部がカバー体の合わせ面とともに鈍角をなすことになる側のカバー体に設けられることが好ましい。これにより、スパウト１５０に対するカバー体の着脱が容易となる。また、支持部としては、本実施形態の構成に限らず、例えば、一方のカバー体に突起を設け、他方のカバー体に突起を挿入させる穴部を設け、カバー体同士を差込み嵌合させる構成等であってもよい。
【００８３】
また、本実施形態では、第１化粧カバー体３１０および第２化粧カバー体３３０のいずれも、スパウト１５０側に対する取付部との間に、弾性部材としてのＯリングを介在させているが、いずれか一方のカバー体のみについてＯリング等の弾性部材を設けた構成であってもよい。この場合、一方のカバー体が、スパウト１５０に対する取付部との間に弾性部材を介在させ、その一方のカバー体が、弾性部材の弾性力により、他方のカバー体に近付く向きに付勢されることになる。すなわち、化粧カバー３００の開口部３５０を形成する複数部品のうち少なくとも１つの部品についてスパウト１５０の取付部との間に弾性部材が設けられ、その１つの部品を、弾性部材の弾性力により、複数部品のうちの他の部品に近づく向きに付勢するように構成されていればよい。
【００８４】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【００８５】
１００  水栓装置
１１０  給水管
１２０  給湯管
１３０  固定部
１４０  本体部
１５０  スパウト
１５１  泡沫キャップ
１５２  吐水口
１６０  弁座
１７０  バルブ（湯水混合部）
１８０  カートリッジ押え
１９１、１９２  挿入穴
１９３  支持部
１９４  Ｏリング設置部
２００  操作部２００
２１０  ハンドル部
２２０  連結部
２３０  接続部
３００  化粧カバー
３１０  第１化粧カバー体
３１１、３１２、３３１、３３２  合わせ面
３１３、３１４  支持部
３１７  Ｏリング取付部
３１８、３１９、３３５、３３６  側面
３３０  第２化粧カバー体
３３３、３３４  雌ネジ部
３４１、３４２  ネジ部材
３４３、３４４  Ｏリング押え
３４７〜３４９  Ｏリング（弾性部材）
３５０  開口部
【図１】
2020139322.tif 000003
【図２】
2020139322.tif 000004
【図３】
2020139322.tif 000005
【図４】
2020139322.tif 000006
【図５】
2020139322.tif 000007
【図６】
2020139322.tif 000008
【図７】
2020139322.tif 000009
【図８】
2020139322.tif 000010
【図９】
2020139322.tif 000011
【図１０】
2020139322.tif 000012
【図１１】
2020139322.tif 000013
【図１２】
2020139322.tif 000014
【図１３】
2020139322.tif 000015
【図１４】
2020139322.tif 000016
【図１５】
2020139322.tif 000017
【図１６】
2020139322.tif 000018